(57)【特許請求の範囲】
【請求項１】
先端側に指標部材が取り付けられるポールの設置機構であって、
鉛直方向に延びる支持体に固定された第１の固定金具と、
前記支持体に固定され、前記第１の固定金具から鉛直方向に離間した第２の固定金具と、
前記第１の固定金具に設けられ、前記ポールの基端部において前記ポールを可倒連結するポール連結部と、
前記第２の固定金具に着脱自在に装着され、前記ポールの中間部を固定する装着金具と、を備え、
前記第１の固定金具は、前記支持体への固定面とは反対の面の第１内壁と該第１内壁から垂直方向へ延出する第２内壁とを含むＬ字状の内壁面を有し、
前記ポール連結部は、前記Ｌ字状の内壁面に垂直に固定され前記ポールの基端部を隔てて互いに平行に向かい合う第１の突片及び第２の突片と、前記第１の突片から前記ポール内部の径の中心を通って前記第２の突片へ貫かれた前記ポールの可倒軸と、を含む
ポールの設置機構。
【請求項２】
前記第２の固定金具において前記装着金具に対向する補強部材をさらに備え、前記装着金具は、ボルト・蝶ナットを用いて前記第２の固定金具に固定され前記ポールの中間部を挟持し得る形状を有する請求項１記載のポールの設置機構。
【請求項３】
前記支持体は建造物上部周縁の柵であり、前記第１の固定金具及び前記第２の固定金具の両者は、前記柵の所定部と溶接及び挟持部材を用いたボルト・ナット挟持の少なくともいずれかを用いて固定されている請求項１又は２に記載のポールの設置機構。
【請求項４】
前記支持体は所定部にアンカーが形成された壁面であり、前記第１の固定金具及び前記第２の固定金具の両者は、前記壁面のアンカーとボルト・ナットを用いて挟持し固定されている請求項１又は２に記載のポールの設置機構。
【請求項５】
前記ポールの先端側には吹流しが装着される請求項１から４のいずれかに記載のポールの設置機構。
【発明の詳細な説明】
【技術分野】
【０００１】
本発明は、高所や危険な場所に設置される、旗や吹流し、その他の気象観測機器、標識等の指標部材を取り付けるポールの設置機構に関する。
【背景技術】
【０００２】
労働安全衛生法関係の高所作業の中には、例えば、クレーン（クレーン等安全規則）等、安全のために一定以上の強風で作業を中止するよう指導するものがあり、風速の目安として、安価で見やすい吹流しを利用することがある。建設現場や工場、空港、発電所等大きな設備においては高所作業を要する場合があり、施設内の高所に吹流しが設置されている。
【０００３】
吹流しは、しなやかで風を受けてはためくような素材によって形成された筒形状のもので、筒形状の一方には軽いリング状の部材（アルミ等）が取り付けられる。このリング状の部材側において、撚り糸等、丈夫な紐を２〜５か所程度に結び付け、紐のもう一方をまとめてポール（高い支柱）の先端部分に取り付ける。
【０００４】
このような吹流しは、上記筒形状のうち、リング状の部材側が風（気流）の入り口となり、気流はその内部を通って他端側の開口へと流通することで揚力を受けて水平方向に舞い上がる。
【０００５】
吹流しは、おおまかな風の様子を知るために設置されている。風が強いほど吹流しは水平になる。しかもある程度の大きさがあれば、例えば地上から吹流しを横から見る等、遠くからでも風の様子を読み取ることができる。このような風速観測用の吹流しは、均質化のため形状や材質等に基準が設けられている。例えば、高速道路に設置されている吹流しは、およそ１０ｍ／ｓで水平になるとされている。
【０００６】
吹流しのポールが設置されている場所は高所や危険な所が多く、強風に耐え得るポール及びポール支持構造を必要とする。吹流し自体の破損や取り付けている紐の劣化・切断等により吹流しの取替え作業が発生することがある。吹流しの取替え作業は通常、ポールを取り外す作業を伴うので簡単ではない。
【０００７】
例えば、ポールの支持装置として、道路脇の標識支持用のポールの設置・撤去作業の時間短縮を図る技術が開示されている（特許文献１参照）。この技術によれば、ポールの支持装置は、支持体に設けられた固定金具に選択的に着脱自在に装着される取付金具と、この取付金具に結合され支持用のポールを嵌合状態で支持する所定長の支持パイプと、一部が支持パイプの上部に結合されポールの外周を挟持する挟持金具とを備える。
【０００８】
特許文献１によれば、選択された支持体の固定金具に取付金具を装着するだけで、支持パイプと挟持金具とを同時に所定の位置に設置できる。又、支持体の固定金具から取付金具を外すだけで、支持パイプと挟持金具とを同時に撤去することができる。これにより、ポールの設置及び撤去作業の時間を短縮し、作業の危険性を少なくすることができるとしている。
【先行技術文献】
【特許文献】
【０００９】
【特許文献１】特開２０００−２９０９４２号公報
【発明の概要】
【発明が解決しようとする課題】
【００１０】
特許文献１によるポールの支持装置を用いた吹流し用のポールの設置を考えた場合、吹流しの取替え作業が発生すると、やはりポールの取り外し作業が伴う。その際、支持体の固定金具から取り付金具を外すか、挟持金具を緩めポールを支持パイプから外す（抜去する）ことが考えられる。前者は、ポールを取り付けたまま取り付金具を支持体の固定金具から外す作業や、吹流しの取替え後にポールを取り付けたまま取り付金具を支持体の固定金具に位置合わせして取り付ける作業を伴う。後者は、ポールを支持パイプから外す（抜去）作業や、吹流しの取替え後にポールを支持パイプに位置合わせして挿し込む作業を伴う。
【００１１】
上述の前者、後者とも、ポールを扱う上で危険性が少ないとはいえない。ポールは、ポールを支持する部材から離れ（外れ）、宙に置く時間があり危険を伴う。ポールを再び取り付けるときの位置合わせも容易ではない。ポールの設置場所が高所であれば、なおさらに危険性が増す。
【００１２】
本発明は、より安全にポール先端に取り付けられた指標部材の取替え作業が可能なポールの設置機構を提供することを目的とする。
【課題を解決するための手段】
【００１３】
本発明者は、ポールの設置位置における固定部においてポールを可倒連結することにより、安全にポールが倒せるよう、又安定してポールが元の位置に起立可能になることを見出し、以下のようなポールの設置機構を提供する。
【００１４】
（１）  先端側に指標部材を装着するポールの設置機構であって、鉛直方向に延びる支持体に固定された第１の固定金具と、前記支持体に固定され、前記第１の固定金具から鉛直方向に離間した第２の固定金具と、前記第１の固定金具に設けられ、前記ポールの基端部において前記ポールを可倒連結するポール連結部と、前記第２の固定金具に着脱自在に装着され、前記ポールの中間部を固定する装着金具と、を備えるポールの設置機構。
【００１５】
上記（１）のポールの設置機構によれば、鉛直方向に起立したポールは、装着金具が取り外されることにより、ポールの基端部のポール連結部を中心として第２の固定金具から離れる方向に倒すことができ、ポールの先端部が第１の固定金具から水平方向に延伸した位置に移動可能である。
【００１６】
上記（１）のポールの設置機構において、ポール連結部は、簡単な構造でもって安全にポールが倒せるよう、又安定してポールが元の位置に起立可能になるように、次のように構成される。
【００１７】
（２）  前記第１の固定金具は、前記支持体への固定面とは反対の面の第１内壁と該第１内壁から垂直方向へ延出する第２内壁とを含むＬ字状の内壁面を有し、前記ポール連結部は、前記Ｌ字状の内壁面に垂直に固定され前記ポールの基端部を隔てて互いに平行に向かい合う第１の突片及び第２の突片と、前記第１の突片から前記ポール内部の径の中心を通って前記第２の突片へ貫かれた前記ポールの可倒軸と、を含む。
【００１８】
上記（１）又は（２）のポールの設置機構において、第２の固定金具に関し、着脱が簡便で強固な固定を実現するために、次のように構成される。
【００１９】
（３）  前記第２の固定金具において前記装着金具に対向する補強部材をさらに備え、前記装着金具は、ボルト・蝶ナットを用いて前記第２の固定金具に固定され前記ポールの中間部分を挟持し得る形状を有する。
【００２０】
さらに、上記（１）から（３）のいずれかのポールの設置機構において、支持体は強固であることが必要で、かつその場にある既存の部分を用いれば経済性にも優れるため、次の（４）又は（５）のように構成される。
【００２１】
（４）  前記支持体は建造物上部周縁の柵であり、前記第１の固定金具及び前記第２の固定金具の両者は、前記柵の所定部と溶接及び挟持部材を用いたボルト・ナット挟持の少なくともいずれかを用いて固定されている。
【００２２】
（５）  前記支持体は所定部にアンカーが形成された壁面であり、前記第１の固定金具及び前記第２の固定金具の両者は、前記壁面のアンカーとボルト・ナットを用いて挟持し固定されている。
【００２３】
（６）  上記（１）から（５）のいずれかのポールの設置機構において、前記ポールの先端側には吹流しが装着される。例えば、吹流しの取替えに際し、ポール連結部は、安全にポールが倒せるよう、又安定してポールが元の位置に起立可能になるように構成されているので、一人で作業することも困難ではない。
【発明の効果】
【００２４】
本発明によれば、ポール連結部は、安全にポールが倒せるよう、又安定してポールが元の位置に起立可能になるように構成されている。このため、より安全にポール先端側に取り付けられた指標部材の取替え作業が可能なポールの設置機構を提供し得る。
【図面の簡単な説明】
【００２５】
【図１】本発明の一実施形態に係るポールの設置機構を適用した吹流し用ポールを起立させた概略図である。
【図２】本発明の一実施形態に係るポールの設置機構の要部を示す概観図である。
【図３】本発明の一実施形態に係るポールの設置機構を適用した吹流し用ポールを倒した概略図である。
【図４】上記図２において支持体を変更したポールの設置機構の要部を示す概観図である。
【発明を実施するための形態】
【００２６】
図１は、本発明の一実施形態に係るポールの設置機構を適用した吹流し用ポールを起立させた概略図である。図２は、本発明の一実施形態に係るポールの設置機構の要部を示す概観図である。
【００２７】
図１を参照すると、建造物上方の高所（最上部）の金属製の柵２０の一部を支持体２１とする。その場にある既存の部分を支持体２１として用いることにより、経済性にも優れるという利点がある。この支持体２１に、ポール１０を起立維持させるための固定金具１１及び１２が固定されている。ポール１０は、その基端部を固定金具１１において可倒連結し、その中間部を固定金具１２と装着金具１３により着脱自在に挟持することにより、固定されている。ポール１０の先端側には吹流しＳＴが取り付けられている。このようなポールの設置機構は次の図２を参照して詳述する。
【００２８】
図２を参照すると、柵２０は、水平方向に平行に延び、かつ鉛直方向に離間した２本の横棒と、この横棒の間に両端部が溶接された鉛直方向に延びる複数本の縦棒でなり、縦棒のうちの所定箇所が設置面に至り取り付けられている。支持体２１は、このような柵２０の切れ間の隣り合う２本の縦棒を利用している。支持体２１には柵の補強棒２２が溶接されている。補強棒２２は、支持体２１の中間部から斜めに延び、設置面に到達し固定されている。
【００２９】
固定金具１１は、支持体２１の所定部（柵２０における下部側）において溶接及びボルト・ナット締結１１１により固定されている。又、固定金具１２は、固定金具１１から鉛直方向に離間した位置（柵２０における上部側）において支持体２１に固定（溶接）されている。
【００３０】
固定金具１１は、例えば、図示しない２枚のプレート状になっていてもよい。１枚目のプレートは支持体２１に溶接され、２枚目のプレートは１枚目のプレート上にボルト・ナット締結１１１により固定されている。あるいは、固定金具１１は、支持体２１に溶接された主板１枚と、各支持体２１の一部を補強的に覆う形状の補強板を主板の裏から当ててボルト・ナット締結１１１により固定された構成としてもよい。
【００３１】
このような固定金具１１は、支持体２１への固定面とは反対の面の第１内壁１１３ａと該第１内壁から垂直方向へ延出する第２内壁１１３ｂとを含むＬ字状の内壁面を有する。つまり、固定金具１１が仮に上述の２枚のプレートで構成されるのであれば、２枚目のプレートがＬ字状の内壁面を有する。
【００３２】
固定金具１１には、ポール１０の基端部において、ポール１０を可倒連結するポール連結部１１６が設けられている。ポール連結部１１６は、Ｌ字状の内壁面（１１３ａ、１１３ｂ）に垂直に固定され、ポール１０の基端部を隔てて互いに平行に向かい合う突片１１５ａ、１１５ｂを有する。突片１１５ａは、直角に隣り合う２辺がＬ字状の内壁面（１１３ａ、１１３ｂ）に固定（溶接）される形態である。同様に、突片１１５ｂも、直角に隣り合う２辺がＬ字状の内壁面（１１３ａ、１１３ｂ）に固定（溶接）される形態である。そして、さらにポール連結部１１６は、突片１１５ａからポール内部の径の中心を通って突片１１５ｂへ貫かれたポールの可倒軸１１４を有する。
【００３３】
又、固定金具１２には、ポール１０の中間部を固定するため、装着金具１３が着脱自在に装着される。装着金具１３は、ポール１０の筒状表面の周囲半分程度に容易に接触するようΩ形状を有する。装着金具１３は、このΩ形状を隔てた両翼の平板上に装着穴１３１を設けている。装着金具１３は、そのΩ形状にポール１０の中間部を接触させ、固定金具１２から挿し込まれるボルト１５のボルト穴に、装着穴１３１を位置合わせし、装着穴１３１にボルト１５が挿し込まれることによって、蝶ナット１４を用いて締結することができる。
【００３４】
このような構成により、ポール１０は、その中間部の固定金具１２と装着金具１３による挟持及び固定と、固定金具１１のポール連結部１１６による基端部の保持により、鉛直方向の強固な起立が維持される。
【００３５】
なお、固定金具１２においては、装着金具１３に対向するボルト穴の開いた板状の補強部材１８を備えている。特に、装着金具１３、補強部材１８、ボルト１５及び蝶ナット１４は共にステンレス材料で構成されることが好ましい。長期間の固定とその後の固定解除を確実にする上で有用である。
【００３６】
一方、装着金具１３は、ポール１０の中間部の固定を解除するため、ボルト１５・蝶ナット１４の締結を開放し、固定金具１２から取り外すことができる。これにより、ポール１０は、その中間部の固定が解除されるが、ポール１０の基端部は、ポール連結部１１６により特定方向に可倒自在に保持されたままである。すなわち、鉛直方向に起立したポール１０は、装着金具１３が取り外されることにより、基端部のポール連結部１１６を中心として固定金具１２から離れる方向に倒すことができる（破線参照）。
【００３７】
図３は、本発明の一実施形態に係るポールの設置機構を適用した吹流し用ポールを倒した概略図である。装着金具１３は、ポール１０の中間部の固定を解除するため、ボルト１５・蝶ナット１４の締結を開放し、固定金具１２から容易に取り外すことができる。ポール１０は、基端部のポール連結部１１６を中心として固定金具１２から離れる方向、つまり、ポール１０の先端部が固定金具１１から水平方向に延伸した位置に向かって傾倒可能である。
【００３８】
図３によれば、ポール１０は、基端部を連結させたままであるため、柵２０の内側に特定方向にしか倒れない。このため、吹流しＳＴを安全に降ろすことができる。特に、建造物周辺の高所に設置される吹流し用ポールや吹流しの扱いは非常に危険である。図３のように、建造物周辺の柵２０からおよそポール１０の長さ分内側に下ろすことができるポール１０や吹流しＳＴの扱いは危険を感じることもない。これにより、吹流しＳＴを取り替える作業も楽にでき、一人での作業も十分可能である。
【００３９】
図３において、吹流しＳＴを取り替えた後、ポール１０を元の鉛直方向に起立させるのも容易である。ポール１０は、その基端部のポール連結部１１６により、可倒連結されているので、起立方向は、特定の方向に限られる。水平方向近くに倒されていたポール１０は、基端部のポール連結部１１６を中心として固定金具１２へ近づく方向に起立させることができる。
【００４０】
ポール１０の起立後は、図１を参照する。装着金具１３は、そのΩ形状にポール１０の中間部を接触させ、固定金具１２から挿し込まれるボルト１５のボルト穴に、装着穴１３１を位置合わせし、装着穴１３１にボルト１５が挿し込まれることによって、蝶ナット１４を用いて締結することができる。この結果、ポール１０は、その中間部の、固定金具１２と装着金具１３による挟持（固定）と、固定金具１１のポール連結部１１６による基端部の保持により、鉛直方向の強固な起立が維持される。
【００４１】
なお、ボルト１５が固定金具１２から容易に外れないようにする工夫をしてもよい。装着金具１３を取り外したときにボルト１５が固定金具１２に停留又は固定されていることによって、装着金具１３の取り付け時の位置合わせ及び蝶ナットによる締結も容易になるからである。例えば、補強部材１８のボルト穴径がボルト１５を回さないと抜けない大きさになっており、ボルト１５が固定金具１２から容易に外れない構成にする。あるいは、より長いボルト１５を用いる等が考えられる。
【００４２】
このように、吹流しＳＴの取替えに際し、ポール連結部１１６は、安全にポールが倒せるよう、又安定してポールが元の位置に起立可能になるように構成されているので、作業者が一人で作業することも困難ではない。
【００４３】
図４は、上記図２において支持体を変更したポールの設置機構の要部を示す概観図である。支持体３０は、コンクリート等の壁面である。ここでも既存の部分を支持体として用い、経済性を考慮している。壁面の所定部にアンカーが形成されている（図示せず）。固定金具１１及び１２の両者は、壁面のアンカーとボルト・ナットを用いて挟持し固定されている（１２１，１４）。上記図２では用いなかった固定金具１２の両端の取り付け穴にも、壁面のアンカーに対してボルト・ナット締結１２１が設けられている。その他の構成は、図２と同様であるため、説明は省略する。
【００４４】
上記構成においても、図２の説明と同様に、ポール１０は、その中間部の固定金具１２と装着金具１３による挟持及び固定と、固定金具１１のポール連結部１１６による基端部の保持により、鉛直方向の強固な起立が維持される。又、装着金具１３のボルト１５１・蝶ナット１４の締結を開放し、装着金具１３を固定金具１２から取り外せば、ポール１０は、基端部のポール連結部１１６を中心として固定金具１２から離れる方向に倒すことができる（破線参照）。
【００４５】
以上説明したように、各実施形態の構成によれば、ポール連結部１１６は、安全にポール１０が倒せるよう、又安定してポール１０が元の位置に起立可能になるように構成されている。このため、より安全にポール１０先端側に取り付けられた吹流し等の指標部材の取替え作業が可能なポールの設置機構を提供し得る。
【００４６】
なお、本実施形態の説明では、ポール１０先端側に取り付けられた指標部材として、吹流しを例に挙げて説明したが、本発明は、その他、気象観測に関係する旗やその他の気象観測機器、あるいは標識等の指標部材を取り付けるポールの設置機構に適用できる。
【符号の説明】
【００４７】
１０  ポール
１１，１２  固定金具
１１１  １２１  ボルト・ナット締結
１１３ａ，１１３ｂ  内壁
１１４  可倒軸
１１５ａ，１１５ｂ  突片
１１６  ポール連結部
１３  装着金具
１３１  装着穴
１４  蝶ナット
１５，１５１  ボルト
１８  補強部材
２０  柵
２１，３０  支持体
２２  補強棒
ＳＴ  吹流し
【図１】
0005171897.tif 000002
【図２】
0005171897.tif 000003
【図３】
0005171897.tif 000004
【図４】
0005171897.tif 000005